(57)【特許請求の範囲】
【請求項１】
ブーツの胴筒部の形状を保持するブーツ保持具であって、
幅と、この幅よりも大きい寸法の長さを有して平板状を呈し弾性変形可能で長さ方向の全長にわたって幅方向の中央部が凸となるように湾曲させることで前記ブーツの胴筒部に挿入可能で、前記ブーツの胴筒部に挿入されることで前記平板状に戻ろうとする弾性力により胴筒部の内面に弾接して胴筒部の形状を保持し、かつ、胴筒部の起立状態を保持する第１パネルと、
前記ブーツのブーツ内底部に挿入可能な除湿剤と、
前記第１パネルと前記除湿剤とを揺動可能に連結する連結部と、
その厚さ方向に貫通する複数の空隙部を有し前記ブーツのブーツ内底部に挿入可能な細長の平板状の第２パネルとを備え、
前記除湿剤は前記第２パネルに取着され、
前記連結部は、前記第１パネルと前記第２パネルとを揺動可能でかつ折り畳み可能に連結している、
ことを特徴とするブーツ保持具。
【請求項２】
前記除湿剤は、前記第１パネルが前記湾曲した状態で前記第１パネルの幅方向の両側の内側に向かって前記第２パネルが揺動した際に、前記第１パネルの幅方向の両側の内側の面に向かう前記第２パネルの面に脱着可能に取着されている、
ことを特徴とする請求項１記載のブーツ保持具。
【請求項３】
前記第２パネルは弾性を有し、前記第１パネルの幅方向の中央部で長さ方向の端部に連結されている、
ことを特徴とする請求項１または２に記載のブーツ保持具。
【請求項４】
前記第１パネルと前記第２パネルとが展開した状態で、前記除湿剤が取着された前記第２パネルの面と同じ方向に向いた前記第１パネルの面を第１の面とし、第１の面の裏側の面を第２の面とした場合、
前記連結部は、前記第１パネルと前記第２パネルとが展開した状態から、前記除湿剤が取着された前記第２パネルの面が前記第１パネルの前記第１の面に近づく方向が、前記除湿剤が取着されていない前記第２パネルの面が前記第１パネルの前記第２の面に近づく方向に比べ、揺動し易く形成されている、
ことを特徴とする請求項１から３の何れか１項記載のブーツ保持具。
【請求項５】
前記第１パネルが前記湾曲した状態で、前記凸の裏面で凹状となる前記第１パネルの面に、芳香剤または消臭剤の含浸を可能とした薬剤含浸用部材が取着されている、
ことを特徴とする請求項１から４の何れか１項記載のブーツ保持具。
【請求項６】
ブーツの胴筒部の形状を保持するブーツ保持具であって、
幅と、この幅よりも大きい寸法の長さを有して平板状を呈し弾性変形可能で長さ方向の全長にわたって幅方向の中央部が凸となるように湾曲させることで前記ブーツの胴筒部に挿入可能で、前記ブーツの胴筒部に挿入されることで前記平板状に戻ろうとする弾性力により胴筒部の内面に弾接して胴筒部の形状を保持し、かつ、胴筒部の起立状態を保持する第１パネルと、
前記ブーツのブーツ内底部に挿入可能な除湿剤と、
前記第１パネルと前記除湿剤とを揺動可能でかつ折り畳み可能に連結する連結部とを備え、
前記第１パネルが前記湾曲した状態で、前記凸の裏面で凹状となる前記第１パネルの面に、芳香剤または消臭剤の含浸を可能とした薬剤含浸用部材が取着されている、
ことを特徴とするブーツ保持具。
【請求項７】
前記薬剤含浸用部材は弾性を有し、前記第１パネルの幅方向に延在し、前記第１パネルに脱着可能に取着されている、
ことを特徴とする請求項５または６記載のブーツ保持具。
【請求項８】
前記除湿剤が連結された箇所と反対の前記第１パネルの箇所に、前記第１パネルを掛止させるための掛止用孔が貫通形成されている、
ことを特徴とする請求項１から７の何れか１項記載のブーツ保持具。
【発明の詳細な説明】
【技術分野】
【０００１】
本発明は、ブーツの胴筒部を起立状態に保持するブーツ保持具に関し、より詳細には、ブーツの胴筒部を起立状態に保持するとともに、ブーツの内底部の除湿を行ない、あるいは、臭気の発散の抑制を行なうブーツ保持具に関する。
【背景技術】
【０００２】
ブーツの胴筒部を起立状態に保持するブーツ保持具は種々提案されている。
例えば、予め気体が封入されているプラスチックシートを用いたものや（特許文献１）、通気性のあるカバーにより除湿剤や消臭剤を包んだ複数の柱状部を設けたもの（特許文献２）などが提案されている。
【先行技術文献】
【特許文献】
【０００３】
【特許文献１】特許第４０８１５０４号
【特許文献２】特開２０１４−１２４２２３号公報
【発明の概要】
【発明が解決しようとする課題】
【０００４】
しかしながら、従来のブーツ保持具では、不使用時に嵩張るため場所をとり、ブーツ保持具の収納スペースのない家庭や勤務先のオフィスでは、その収納が問題となり、また、ブーツ保持具の持ち運びが簡単に行なえない問題がある。
この発明は前記事情に鑑み案出されたものであり、本発明の目的は、使用時にはブーツの胴筒部の起立状態の保持とブーツの内底部の除湿を行なえ、不使用時には、収納および持ち運びを簡単に行なえるブーツ保持具を提供することにある。
【課題を解決するための手段】
【０００５】
上述の目的を達成するために、本発明は、ブーツの胴筒部の形状を保持するブーツ保持具であって、幅と、この幅よりも大きい寸法の長さを有して平板状を呈し弾性変形可能で長さ方向の全長にわたって幅方向の中央部が凸となるように湾曲させることで前記ブーツの胴筒部に挿入可能で、前記ブーツの胴筒部に挿入されることで前記平板状に戻ろうとする弾性力により胴筒部の内面に弾接して胴筒部の形状を保持し、かつ、胴筒部の起立状態を保持する第１パネルと、前記ブーツのブーツ内底部に挿入可能な除湿剤と、前記第１パネルと前記除湿剤とを揺動可能に連結する連結部と、その厚さ方向に貫通する複数の空隙部を有し前記ブーツのブーツ内底部に挿入可能な細長の平板状の第２パネルとを備え、前記除湿剤は前記第２パネルに取着され、前記連結部は、前記第１パネルと前記第２パネルとを揺動可能でかつ折り畳み可能に連結していることを特徴とする。
また、本発明は、ブーツの胴筒部の形状を保持するブーツ保持具であって、幅と、この幅よりも大きい寸法の長さを有して平板状を呈し弾性変形可能で長さ方向の全長にわたって幅方向の中央部が凸となるように湾曲させることで前記ブーツの胴筒部に挿入可能で、前記ブーツの胴筒部に挿入されることで前記平板状に戻ろうとする弾性力により胴筒部の内面に弾接して胴筒部の形状を保持し、かつ、胴筒部の起立状態を保持する第１パネルと、前記ブーツのブーツ内底部に挿入可能な除湿剤と、前記第１パネルと前記除湿剤とを揺動可能でかつ折り畳み可能に連結する連結部とを備え、前記第１パネルが前記湾曲した状態で、前記凸の裏面で凹状となる前記第１パネルの面に、芳香剤または消臭剤の含浸を可能とした薬剤含浸用部材が取着されていることを特徴とする。
【発明の効果】
【０００６】
本発明によれば、使用時、第１パネルを湾曲させてブーツの胴筒部に挿入し、第２パネルをブーツの内底部に挿入し、第１パネルから手を離すと、第１パネルはその弾性により元の平坦な状態に戻ろうとし、第１パネルが胴筒部の内面に当たって胴筒部の起立状態を保持する。また、除湿剤により内底部の除湿が行なわれる。
また、不使用時、第１パネルと除湿剤とを折り畳むと、第１パネルは扁平な板状を呈し、また、除湿剤はブーツ内底部に挿入される大きさであるため、嵩張らない。したがってブーツ保持具の収納および持ち運びが簡単に行なえる。
【図面の簡単な説明】
【０００７】
【図１】（Ａ）は第１の実施の形態のブーツ保持具の正面図、（Ｂ）は同側面図である。
【図２】（Ａ）は薬剤含浸用部材と除湿剤とを取り外した状態の第１パネルと連結部と第２パネルの正面図、（Ｂ）は同側面図である。
【図３】連結部の他の実施の形態の説明図で（Ａ）は連結部の正面図、（Ｂ）はＡのＢＢ断面図である。
【図４】（Ａ）、（Ｂ）はブーツ保持具の使用時の説明図である。
【図５】第１パネルと第２パネルとを折り畳んだ状態の説明図で、（Ａ）は薬剤含浸用部材と除湿剤とが取り付けられた状態で第１パネルと第２パネルとを折り畳んだ側面図、（Ｂ）は薬剤含浸用部材と除湿剤とを取り外した状態で第１パネルと第２パネルとを折り畳んだ側面図である。
【図６】（Ａ）は第２の実施の形態のブーツ保持具の正面図、（Ｂ）は同側面図である。
【図７】（Ａ）、（Ｂ）は第２の実施の形態のブーツ保持具の使用時の説明図である。
【発明を実施するための形態】
【０００８】
まず、第１の実施の形態について図１〜図５を参照して説明する。
第１の実施の形態に係るブーツ保持具１０は、第１パネル１２と、第２パネル１４と、連結部１６と、除湿剤１８と、薬剤含浸用部材２０と、掛止用孔２２とを含んで構成されている。
第１パネル１２は、弾性変形可能で平板状を呈している。第１パネル１２として、軽量で弾性を有する従来公知の様々な素材、たとえば、合成樹脂材料、薄い金属板、厚紙が使用可能である。
第１パネル１２は、幅よりも長さが大きい長方形状を呈し、４つの角部は丸く形成され、第１パネル１２の大きさはＡ４サイズよりも小さく、例えば、カバンなどに簡単に収納できるように、第１パネル１２の収納の際の取り扱いが簡単になされるように図られている。
第１パネル１２は、長さ方向の全長にわたって幅方向の中央部が凸となるように湾曲させることでブーツ５０の胴筒部５００２に挿入可能に形成されている。
そして、第１パネル１２を湾曲させてブーツ５０の胴筒部５００２に挿入し手を離すと、その弾性により平板状に戻ろうとし、第１パネル１２は胴筒部５００２の内面に弾接し、第１パネル１２の弾性力により胴筒部５００２の形状を保持し、また、湾曲した第１パネル１２の剛性により胴筒部５００２の起立状態を保持する。
【０００９】
薬剤含浸用部材２０は、面ファスナーや両面粘着テープを介して第１パネル１２に脱着可能に設けられている。
薬剤含浸用部材２０を第１パネル１２に脱着可能に設けると、ブーツ５０の内底部５００４内の臭いの消臭・脱臭が不必要な場合に薬剤含浸用部材２０を取り外した状態でブーツ保持具１０を使用でき、また、薬剤含浸用部材２０を取り外すことで後述するように第１パネル１２と第２パネル１４とを連結部１６を境に折り畳んだ状態の形態を小型化でき、ブーツ保持具１０を簡単に持ち運びする上で有利となる。
なお、薬剤含浸用部材２０を第１パネル１２に脱着不能に設けてもよいことは無論のことであり、薬剤含浸用部材２０を第１パネル１２に脱着不能に設けた場合、薬剤含浸用部材２０をなくすことがないなどのメリットがある。
薬剤含浸用部材２０は、第１パネル１２の長手方向の中央部で第１パネル１２の幅方向に延在して設けられている。
薬剤含浸用部材２０は、脱臭剤などの固形の薬剤や消臭剤または芳香剤などの液状の薬剤の含浸、担持を可能とした材料で形成されている。このような材料としてスポンジやろ紙などの従来公知の様々な材料が使用可能である。
なお、薬剤含浸用部材２０に、香料が封入されたマイクロカプセルを担持させておき、第１パネル１２を湾曲させた時に、マイクロカプセルが破壊され香料が薬剤含浸用部材２０に浸出して芳香が発揮されるようにしてもよい。
また、薬剤含浸用部材２０として弾性を有するスポンジを用いると、第１パネル１２を湾曲させてブーツ５０の胴筒部５００２に挿入した際、第１パネル１２の弾性力にスポンジの弾性力が加わるため、第１パネル１２が平板状に戻ろうとする弾性力が増加し、胴筒部５００２の形状を保持する力、胴筒部５００２の起立状態を保持する力が強くなる。
【００１０】
この場合、薬剤含浸用部材２０を、実施の形態のように第１パネル１２の長手方向の中央部で第１パネル１２の幅方向に延在させると、第１パネル１２を湾曲させてブーツ５０の胴筒部５００２に挿入した際にスポンジの弾性力を効果的に発揮させることができ、胴筒部５００２の形状を保持し、胴筒部５００２の起立状態を保持する上で有利となる。
また、第１パネル１２の長手方向で連結部１６と反対の第１パネル１２の端部に、第１パネル１２を掛止させるための掛止用孔２２が貫通形成されている。
なお、薬剤含浸用部材２０と掛止用孔２２とは、必要に応じて設けられるものであり、省略可能である。
【００１１】
第２パネル１４は、第１パネル１２に連結部１６を介して揺動可能に連結されている。
第２パネル１４は、ブーツ５０の内底部５００４に挿入可能な形状で形成され、内底部５００４の形状に対応した細長の平板状を呈している。
第２パネル１４の大きさは、ブーツ保持具１０がカバンなどに簡単に収納できるようにＡ４サイズよりも小さく、また、弾性を有する材料で形成され、収納の際の取り扱いが簡単になされるように図られている。
本実施の形態では、第２パネル１４は、第１パネル１２の幅方向の中央部で長さ方向の端部に連結され、第１パネル１２を湾曲させて胴筒部５００２に挿入した際に、第２パネル１４がブーツ５０の内底部５００４に円滑に挿入されるように図られている。
第２パネル１４として、軽量で弾性を有する従来公知の様々な合成樹脂材料が使用可能である。
第２パネル１４は、その厚さ方向に貫通する複数の空隙部１４０４を有し、本実施の形態では、空隙部１４０４として丸孔が設けられている。それら空隙部１４０４は、第２パネル１４に除湿剤１８を取り付けた場合に、除湿剤１８による内底部５００４の除湿が効率良く行なわれるようにするとともに第２パネル１４の軽量化を図るものである。
【００１２】
第２パネル１４の一方の面に、除湿剤１８が、面ファスナーや両面粘着テープを介して脱着可能に取り付けられている。
除湿剤１８は、通気性を有する袋に封入され、図１では除湿剤１８が偏平な板状に封入された３つの袋１８０２が連接されている。この場合、除湿剤１８としてシリカゲル、塩化カルシウム、生石灰、塩化マグネシウム、重層、珪藻土など用いることができるが、シリカゲル、特にＢ型シリカゲルを使用すると、吸湿容量も多く、使用後、乾燥させることで除湿機能が再生するため、除湿剤１８を繰り返して使用でき、便利となる。このような偏平な板状の除湿剤１８として市販品が使用可能である。除湿剤１８として上述のように除湿機能が再生するものを使用すれば、第２パネル１４の一方の面に、除湿剤１８を脱着不能に取り付けるようにしてもよい。あるいは、第２パネル１４の一方の面に、除湿剤１８を脱着不能に取り付け、後述するように、第１パネル１２と第２パネル１４とを連結部１６を介して取り外し可能に結合し、除湿機能が再生しない除湿剤１８を使用した場合、除湿剤１８の交換の際、新たな除湿剤１８が取着された第２パネル１４ごと交換するようにしてもよい。
除湿剤１８が取り付けられる第２パネル１４の面は、第１パネル１２と第２パネル１４とが平面状に展開した状態で、本実施の形態では同一面上に展開した状態で、薬剤含浸用部材２０が取り付けられる第１パネル１２の面と同じ方向を向いた面である。言い換えると、除湿剤１８は、図４（Ｂ）に示すように、第１パネル１２が湾曲した状態で第１パネル１２の幅方向の両側の内側に向かって第２パネル１４が揺動した際に、第１パネル１２の幅方向の両側の内側の面に向かう第２パネル１４の面に脱着可能に取着されている。
したがって、除湿剤１８は、第２パネル１４が内底部５００４に挿入された状態で、上方を向いた第２パネル１４の面に脱着可能に取着されている。
【００１３】
連結部１６は、第１パネル１２と第２パネル１４とを揺動可能に連結する箇所であり、図１（Ａ）、（Ｂ）に示すように、細幅で変形可能な湾曲片で形成され、本実施の形態では、第１パネル１２と第２パネル１４と連結部１６とは同一の材料で一体に形成されているヒンジ構造を採用することができる。
連結部１６は、図４（Ａ）、（Ｂ）に示すように、第１パネル１２と第２パネル１４とを揺動可能に連結し、また、図５（Ａ）、（Ｂ）に示すように、第１パネル１２と第２パネル１４とが重ね合わされるようにそれらパネル１２，１４を折り畳み可能に連結しており、さらに、図１、図２に示すように、第１パネル１２と第２パネル１４とが平面状に展開可能に、本実施の形態では同一面上に展開可能に連結している。したがって、本実施の形態では、除湿剤１８は、第２パネル１４および連結部１６を介して第１パネル１２に揺動可能に連結されている。
湾曲片の形状は、第１パネル１２と第２パネル１４とが平面状に展開した状態から、除湿剤１８が取着された第２パネル１４の面が、薬剤含浸用部材２０が取着された第１パネル１２の面に近づく方向が、除湿剤１８が取着されていない第２パネル１４の面が、薬剤含浸用部材２０が取着されていない第１パネル１２の面に近づく方向に比べ、揺動し易く形成されている。言い換えると、第１パネル１２と第２パネル１４とが平面状に展開した状態で、除湿剤１８が取着された第２パネル１４の面と同じ方向に向いた第１パネル１２の面を第１の面とし、第１の面の裏側の面を第２の面とした場合、連結部１６は、第１パネル１２と第２パネル１４とが平面状に展開した状態から、除湿剤１８が取着された第２パネル１４の面が第１パネル１２の第１の面に近づく方向が、除湿剤１８が取着されていない第２パネル１４の面が第１パネル１２の第２の面に近づく方向に比べ、揺動し易く形成されている。
なお、連結部１６は、図３（Ａ）、（Ｂ）に示すように、第１パネル１２に設けた円柱状ボス部２８の両側から突設したピン３０と、第２パネル１４に設けられピン３０に係脱可能に結合する２つの半円筒体３２とで構成するようにしてもよく、この場合には、第１パネル１２と第２パネル１４とが係脱可能に結合され、すなわち、取り外し可能に結合され、連結部１６の構造には、従来公知の様々な構成が採用可能である。
【００１４】
連結部１６を、図３（Ａ）、（Ｂ）に示すように、ボス部２８の両側に突設されたピン３０と、それたピン３０に係脱可能に結合する２つの半円筒体３２とで構成した場合、第１パネル１２と第２パネル１４とが平面状に展開した状態から、除湿剤１８が取着されていない第２パネル１４の面が、薬剤含浸用部材２０が取着されていない第１パネル１２の面に近づく方向への揺動に比べ、除湿剤１８が取着された第２パネル１４の面が、薬剤含浸用部材２０が取着された第１パネル１２の面に近づく方向への揺動がし易くなるように、ボス部２８の端面に、第２パネル１４に係止可能なストッパ３４を設けるようにしてもよい。
また、掛止用孔２２にフックやピンなどの掛止具を掛止し、掛止具によりブーツ保持具１０をつり下げると、第１パネル１２と第２パネル１４とはそれらの自重により連結部１６を介して平面状に展開され、本実施の形態では、同一の鉛直面上に位置するように形成されている。
なお、ブーツ保持具１０のブーツ５０への挿入時、第２パネル１４がブーツ５０の内底部５００４に円滑に挿入されるように、除湿剤１８が取着された第２パネル１４の面と、薬剤含浸用部材２０が取着された第１パネル１２の面とがなす角度が、第１パネル１２と第２パネル１４とが平面状に展開された状態で、１８０度よりも僅かに小さい角度になるように連結部１６を構成するようにしてもよい。
【００１５】
次に、ブーツ保持具１０の使用方法について説明する。
第１パネル１２にあらかじめ薬剤が含浸・担持された薬剤含浸用部材２０を取着するか、あらかじめ取付けられた薬剤含浸用部材２０に液状の消臭剤または芳香剤をスプレーにより噴射、又は液体のまま塗布、滴下し、薬剤含浸用部材２０に含浸させる。
なお、薬剤含浸用部材２０を第１パネル１２に脱着可能に、あるいは脱着不能に設けた何れの場合も、薬剤含浸用部材２０に含浸させた薬剤の消臭・脱臭の効果がなくなったら、スプレーなどの方法により薬剤を再度含浸させればよい。また、薬剤含浸用部材２０を第１パネル１２に脱着可能に設けた場合、薬剤含浸用部材２０に含浸させた薬剤の消臭・脱臭の効果がなくなったら、予め薬剤を含浸させた薬剤含浸用部材２０と取り換えるようにしてもよい。
また、第２パネル１４に除湿剤１８を取り付ける。この場合、除湿剤１８としてＢ型シリカゲルを使用すると、使用後、乾燥させることで除湿機能が再生するため、除湿剤１８を繰り返して使用でき、便利となる。
そして、第２パネル１４をブーツ５０の胴筒部５００２に挿入し、薬剤含浸用部材２０が内側になるように第１パネル１２を湾曲させて第１パネル１２をブーツ５０の胴筒部５００２に挿入していく。
第２パネル１４の先端がブーツ５０の内底部５００４に到達したならば、第２パネル１４の先端が内底部５００４のつま先方向に向いて倒れるように第１パネル１２を揺らすなど適宜操作し、第２パネル１４の先端が内底部５００４のつま先方向に向いて倒れたならば、第１パネル１２をブーツ５０の胴筒部５００２にさらに挿入していく。
【００１６】
この場合、除湿剤１８が取着された第２パネル１４の面が、薬剤含浸用部材２０が取着された第１パネル１２の面に近づく方向への揺動がし易くなるように連結部１６が形成されているため、除湿剤１８の内底部５００４への挿入が円滑に行なわれる。
また、除湿剤１８は第２パネル１４の上に載っており、第２パネル１４が内底部５００４を滑っていくため、除湿剤１８の内底部５００４への挿入が円滑に行なわれる。なお、除湿剤１８は内底部５００４に対向する第２パネル１４の面に取着するようにしてもよいが、本実施の形態のように除湿剤１８を第２パネル１４の上に取着すると、除湿剤１８の内底部５００４への挿入を円滑に行なう上で有利となる。
【００１７】
第２パネル１４の先端が内底部５００４のつま先寄りの箇所に位置し、第１パネル１２の下端（あるいは連結部１６）が内底部５００４の踵の上に位置したところで、第１パネル１２の胴筒部５００２への挿入を停止し、第１パネル１２から手を離す。
第１パネル１２から手を離すと、第１パネル１２はその弾性により、また、薬剤含浸用部材２０の弾性により元の平坦な状態に戻ろうとし、第１パネル１２が胴筒部５００２の内面に当たって胴筒部５００２の形状を保持し、胴筒部５００２の起立状態を保持する。
また、除湿剤１８により内底部５００４の除湿が行なわれ、薬剤含浸用部材２０に含浸された消臭剤や脱臭剤により内底部５００４内の臭いの消臭・脱臭が行なわれ、あるいは、薬剤含浸用部材２０に含浸された芳香剤の香りが漂い内底部５００４内の臭いが打ち消される。
なお、ブーツ保持具１０をブーツ５０から取り出すときには、第１パネル１２を湾曲させ、第１パネル１２を胴筒部５００２から引き出すと、第２パネル１４も追従して胴筒部５００２から引き出される。
【００１８】
次に、ブーツ保持具１０の不使用時について説明する。
例えば、図５（Ａ）に示すように、薬剤含浸用部材２０と除湿剤１８とが向かい合うように、連結部１６から第１パネル１２と第２パネル１４とを折り畳むと、第１パネル１２は扁平な板状を呈し、また、第２パネル１４と除湿剤１８はブーツ内底部５００４に挿入される大きさであるため、ブーツ保持具１０は嵩張らない。本実施の形態では、ブーツ保持具１０は扁平な形状となる。したがって、ブーツ保持具１０は、嵩張らず扁平な形状となるため、下駄箱内の適宜箇所に、あるいはロッカーや引き出しの適宜箇所に、載置あるいは立てかけて簡単に収納することができる。
この場合、図５（Ｂ）に示すように、薬剤含浸用部材２０を第１パネル１２から取り外し、除湿剤１８を第２パネル１４から取り外して連結部１６から第１パネル１２と第２パネル１４とを折り畳むと、ブーツ保持具１０は、さらに扁平な板状となる。したがって、ブーツ保持具１０は、さらに嵩張らないため、下駄箱内の適宜箇所に、あるいはロッカーや引き出しの適宜箇所に、載置あるいは立てかけてより簡単に収納することができる。
【００１９】
また、以上のようにブーツ保持具１０は、第１パネル１２と第２パネル１４とが折り畳まれ、不使用時に嵩張らないため、ブーツ保持具１０をカバンに入れ、持ち運びを簡単に行なうことができる。
したがって、ブーツ保持具１０をカバンに入れて持ち運ぶことで、ブーツ５０を履いて出かけた出先において、ブーツ保持具１０をカバンから取り出し、ブーツ５０を脱いだ箇所においてブーツ保持具１０をブーツ５０に装着し、胴筒部５００２の形状、起立状態の保持と、内底部５００４の除湿や脱臭が行なわれ、また、帰るときには、ブーツ保持具１０をカバンに入れて持ち帰ることができ、極めて便利となり、ブーツ保持具１０の商品価値を高める上で有利となる。
【００２０】
また、本実施の形態では、第１パネル１２に掛止用孔２２を設けているので、ブーツ保持具１０の不使用時、下駄箱の適宜箇所に、あるいは、ロッカーや机の適宜箇所に、掛止用孔２２にフックやピンなどの掛止具を掛止し、掛止具によりブーツ保持具１０をつり下げるようにしてもよい。
この場合、ブーツ保持具１０がつり下げられた状態で、第１パネル１２と第２パネル１４とが平面状に展開するので、本実施の形態では、２枚の薄板が同一の鉛直面上に展開するので、嵩張ることがない。したがって、簡単に保管する上で有利となる。
【００２１】
次に、第２の実施の形態について図６、図７を参照して説明する。
なお、以下の実施の形態の説明では第１の実施の形態と同様な箇所、部材に同一の符号を付しその説明を省略し、異なった箇所を重点的に説明する。
第２の実施の形態に係るブーツ保持具１０’は、第１パネル１２と、連結部１６と、除湿剤１８’と、薬剤含浸用部材２０と、掛止用孔２２とを含んで構成され、第２パネル１４が省略されている点が第１の実施の形態と異なっている。
【００２２】
除湿剤１８’は、通気性を有する袋１８１２に封入され、袋１８１２に封入された除湿剤１８’は、縦横の寸法よりも大きな寸法長さを有し、ブーツ５０の内底部５００４に挿入可能な細長の形状に形成されている。このような除湿剤１８’として市販品が使用可能である。
除湿剤１８’が封入された袋１８１２の長手方向の一端の封止部１８１４の幅方向の中央に孔１８１６が形成され、この孔１８１６に第１パネル１２の幅方向の中央で長さ方向の端部に設けられたフック１２２０が係脱可能に掛止することで、除湿剤１８’が第１パネル１２に揺動可能にかつ脱着可能に連結されている。したがって、第２の実施の形態では、フック１２２０と孔１８１６とは、除湿剤１８’を第１パネル１２に揺動可能にかつ脱着可能に連結する連結部１６を構成している。
【００２３】
次に、ブーツ保持具１０’の使用方法について説明する。
第１の実施の形態と同様に、第１パネル１２にあらかじめ薬剤が含浸・担持された薬剤含浸用部材２０を取着するか、あらかじめ取付けられた薬剤含浸用部材２０に液状の消臭剤または芳香剤をスプレーにより噴射、又は液体のまま塗布、滴下し、薬剤含浸用部材２０に含浸させる。
また、第１パネル１２に除湿剤１８’を取り付ける。
そして除湿剤１８’をブーツ５０の胴筒部５００２に挿入し、薬剤含浸用部材２０が内側になるように第１パネル１２を湾曲させて第１パネル１２をブーツ５０の胴筒部５００２に挿入していく。
除湿剤１８’の先端がブーツ５０の内底部５００４に到達したならば、除湿剤１８’の先端が内底部５００４のつま先方向に向いて倒れるように第１パネル１２を揺らすなど適宜操作し、除湿剤１８’の先端が内底部５００４のつま先方向に向いて倒れたならば、第１パネル１２をブーツ５０の胴筒部５００２にさらに挿入していく。
【００２４】
この場合、除湿剤１８’の表面に位置する通気性を有する袋１８１２の部分が内底部５００４を滑っていくため、除湿剤１８’の内底部５００４への挿入が円滑に行なわれる。
除湿剤１８’の先端が内底部５００４のつま先寄りの箇所に位置し、第１パネル１２の下端（あるいは連結部１６）が内底部５００４の踵の上に位置したところで、第１パネル１２の胴筒部５００２への挿入を停止し、第１パネル１２から手を離す。
第１パネル１２から手を離すと、第１パネル１２はその弾性により、また、薬剤含浸用部材２０の弾性により元の平坦な状態に戻ろうとし、第１パネル１２が胴筒部５００２の内面に当たって胴筒部５００２の形状を保持し、胴筒部５００２の起立状態を保持する。
また、除湿剤１８’により内底部５００４の除湿が行なわれ、薬剤含浸用部材２０に含浸された消臭剤や脱臭剤により内底部５００４内の臭いの消臭・脱臭が行なわれ、あるいは、薬剤含浸用部材２０に含浸された芳香剤の香りが漂い内底部５００４内の臭いが打ち消される。
なお、ブーツ保持具１０’をブーツ５０から取り出すときには、第１パネル１２を湾曲させ、第１パネル１２を胴筒部５００２から引き出すと、除湿剤１８’も追従して胴筒部５００２から引き出される。
【００２５】
次に、ブーツ保持具１０’の不使用時について説明する。
例えば、薬剤含浸用部材２０と除湿剤１８’とが向かい合うように、連結部１６から第１パネル１２と除湿剤１８’とを折り畳むと、第１パネル１２は扁平な板状を呈し、また、除湿剤１８’は内底部５００４に挿入される大きさであるため、ブーツ保持具１０’は、嵩張らない。したがって、ブーツ保持具１０’は、下駄箱内の適宜箇所に、あるいはロッカーや引き出しの適宜箇所に、載置あるいは立てかけて簡単に収納することができる。
この場合、薬剤含浸用部材２０を第１パネル１２から取り外し、除湿剤１８’を第１パネル１２から取り外すと、さらに嵩張らず、下駄箱内の適宜箇所に、あるいはロッカーや引き出しの適宜箇所に、載置あるいは立てかけてより簡単に収納することができる。
【００２６】
また、以上のようにブーツ保持具１０’は、第１パネル１２と除湿剤１８’とが折り畳まれ、不使用時に嵩張らないため、第１の実施の形態と同様に、ブーツ保持具１０’をカバンに入れ、持ち運びを簡単に行なうことができる。
したがって、ブーツ保持具１０’をカバンに入れて持ち運ぶことで、ブーツ５０を履いて出かけた出先において、ブーツ保持具１０’をカバンから取り出し、ブーツ５０を脱いだ箇所においてブーツ保持具１０’をブーツ５０に装着し、胴筒部５００２の形状、起立状態の保持と、内底部５００４の除湿や脱臭が行なわれ、また、帰るときには、ブーツ保持具１０’をカバンに入れて持ち帰ることができ、極めて便利となり、ブーツ保持具１０’の商品価値を高める上で有利となる。
【００２７】
また、本実施の形態では、第１の実施の形態と同様に第１パネル１２に掛止用孔２２を設けているので、ブーツ保持具１０’の不使用時、下駄箱の適宜箇所に、あるいは、ロッカーや机の適宜箇所に、掛止用孔２２にフックやピンなどの掛止具を掛止し、掛止具によりブーツ保持具１０’をつり下げるようにしてもよい。
この場合、ブーツ保持具１０’がつり下げられた状態で、第１パネル１２と除湿剤１８’とが鉛直方向に展開するので、嵩張ることがなく、簡単に保管する上で有利となる。
【符号の説明】
【００２８】
１０，１０’……ブーツ保持具
１２……第１パネル
１４……第２パネル
１４０４……空隙部
１６……連結部
１８，１８’……除湿剤
２０……薬剤含浸用部材
２２……掛止用孔
【図１】
0006734102.tif 000002
【図２】
0006734102.tif 000003
【図３】
0006734102.tif 000004
【図４】
0006734102.tif 000005
【図５】
0006734102.tif 000006
【図６】
0006734102.tif 000007
【図７】
0006734102.tif 000008